【手続補正書】
【提出日】平成20年7月9日(2008.7.9)
【手続補正１】
【補正対象書類名】明細書
【補正対象項目名】特許請求の範囲
【補正方法】変更
【補正の内容】
【特許請求の範囲】
【請求項１】
長方形状の中空枠型であり、当該中空枠型内に太陽電池が挿着されている瓦と取り合いのできる太陽電池において、
前記中空枠型の長辺一端側の側面が下方に延びた側面部と、前記側面部の下端を前記中空枠型の長辺他端側向きに折り曲げることにより形成された折曲部と、を有し、前記中空枠型の長辺他端側向きに開放している断面がコの字形の固定手段と、
前記側面部および前記中空枠型の長辺一端側の底面部と係合される係合部と、前記係合部を下方に折り曲げることにより形成された支部と、前記支部を前記長辺一端側向きに折り曲げることにより形成された固定部と、を有し、前記中空枠型の長辺一端側向きに開放している断面が逆コの字形である第１の係合手段と、
前記中空枠型の長辺一端側の上面部と平行な平行部と、前記平行部を垂直上方に折り曲げることにより形成された垂直部と、を有し、前記固定手段が形成されている前記中空枠型の長辺一端側の上面部に前記平行部が固定可能な断面がＬ字形である第２の係合手段と、
前記中空枠型の長辺他端側の側面が下方に延びた側面部と、前記側面部の下端が前記固定手段が形成されている長辺一端側向きに折り曲げられている屈曲部とを有している接合手段と、を備え、
前記第１の係合手段の係合部は、前記側面部が前記中空枠型の長辺一端側の底面部に対して形成する角度と同じ角度で形成されており、前記第１の係合手段は、前記係合部の角度と前記側面部および前記中空枠型の長辺一端側の底面部によって形成される角度を合わせることにより、前記固定手段に装着されることを特徴とする瓦と取り合いのできる太陽電池。
【請求項２】
前記中空枠型の短辺一端側の底面部に形成されており、前記底面部に対して垂直下方に突出している突出部を少なくとも１つ以上有する第１の短辺接合手段と、
前記中空枠型の短辺他端側の側面が下方に延びた側面部と、前記側面部に対して垂直に接合され、前記短辺他端側の底面部に向かって短手方向に沿って上方に突出している複数の突出面を有する接合部と、前記短辺他端側の側面部に対して直角をなす係止部と、を有する第２の短辺接合手段と、
をさらに備えたことを特徴とする請求項１記載の瓦と取り合いのできる太陽電池。
【請求項３】
前記第２の係合手段は、前記長辺一端側の上面部と平行な平行部を直角に折り曲げることにより形成された垂直部に対して直角をなす回転防止部を前記中空枠型の長辺他端側向きに備えていることを特徴とする請求項１または請求項２記載の瓦と取り合いのできる太陽電池。
【請求項４】
前記中空枠型の長辺一端側の上面部と前記第２の係合手段との間に配置される弾性手段をさらに備えたことを特徴とする請求項１、請求項２、請求項３のうちいずれか１に記載の瓦と取り合いのできる太陽電池。
【請求項５】
前記第１の係合手段は、前記固定手段から挿脱可能に装着されていることを特徴とする請求項１、請求項２、請求項３、請求項４のうちいずれか１に記載の瓦と取り合いのできる太陽電池。
【請求項６】
前記第１の係合手段の長手方向の長さは、前記固定手段の長手方向の長さよりも短く、前記固定手段に前記第１の係合手段が嵌着された場合、前記中空枠型の長辺端部に隙間が形成されることを特徴とする請求項１、請求項２、請求項３、請求項４、請求項５のうちいずれか１に記載の瓦と取り合いのできる太陽電池。
【請求項７】
前記第２の係合手段の長さは、前記中空枠型の長辺の長さが所定間隔に分割された長さであり、前記所定間隔に分割された所定位置において前記第２の係合手段を前記中空枠型の長辺一端側の上面部から取り外し可能であることを特徴とする請求項１、請求項２、請求項３、請求項４、請求項５、請求項６のうちいずれか１に記載の瓦と取り合いのできる太陽電池。
【請求項８】
前記接合手段の側面部および屈曲部と係合される屈曲係合部と、前記屈曲係合部を前記中空枠型の長辺一端側に折り曲げることにより形成される軒先側係合部と、を有する第３の固定手段をさらに備え、
前記接合手段が軒先側の瓦と接合される場合、前記第３の固定手段の前記屈曲係合部は前記接合手段と係合され、前記軒先側係合部は前記瓦と係合されることを特徴とする請求項１、請求項２、請求項３、請求項４、請求項５、請求項６、請求項７のうちいずれか１に記載の瓦と取り合いのできる太陽電池。
【手続補正２】
【補正対象書類名】明細書
【補正対象項目名】０００６
【補正方法】変更
【補正の内容】
【０００６】
【課題を解決するための手段】
本発明の瓦と取り合いのできる太陽電池によると、長方形状の中空枠型であり、当該中空枠型内に太陽電池が挿着されている瓦と取り合いのできる太陽電池において、前記中空枠型の長辺一端側の側面が下方に延びた側面部と、前記側面部の下端を前記中空枠型の長辺他端側向きに折り曲げることにより形成された折曲部と、を有し、前記中空枠型の長辺他端側向きに開放している断面がコの字形の固定手段と、前記側面部および前記中空枠型の長辺一端側の底面部と係合される係合部と、前記係合部を下方に折り曲げることにより形成された支部と、前記支部を前記長辺一端側向きに折り曲げることにより形成された固定部と、を有し、前記中空枠型の長辺一端側向きに開放している断面が逆コの字形である第１の係合手段と、前記中空枠型の長辺一端側の上面部と平行な平行部と、前記平行部を垂直上方に折り曲げることにより形成された垂直部と、を有し、前記固定手段が形成されている前記中空枠型の長辺一端側の上面部に前記平行部が固定可能な断面がＬ字形である第２の係合手段と、前記中空枠型の長辺他端側の側面が下方に延びた側面部と、前記側面部の下端が前記固定手段が形成されている長辺一端側向きに折り曲げられている屈曲部とを有している接合手段と、を備え、前記第１の係合手段の係合部は、前記側面部が前記中空枠型の長辺一端側の底面部に対して形成する角度と同じ角度で形成されており、前記第１の係合手段は、前記係合部の角度と前記側面部および前記中空枠型の長辺一端側の底面部によって形成される角度を合わせることにより、前記固定手段に装着されるので、屋根としての施工および瓦との取り合いが容易であり、防水性に優れた太陽電池モジュールを提供することができる。
【手続補正３】
【補正対象書類名】明細書
【補正対象項目名】００１０
【補正方法】変更
【補正の内容】
【００１０】
本発明の瓦と取り合いのできる太陽電池によると、前記第２の係合手段の長さは、前記中空枠型の長辺の長さが所定間隔に分割された長さであり、前記所定間隔に分割された所定位置において前記第２の係合手段を前記中空枠型の長辺一端側の上面部から取り外し可能となっているので、例えば、屋根材として太陽電池モジュールを千鳥状に葺く場合、瓦との取り合い（接合）を行う部分となる固定金具を取り外すことにより、容易に太陽電池モジュールと瓦との取り合いをすることができる。
本発明の瓦と取り合いのできる太陽電池によると、前記接合手段の側面部および屈曲部と係合される屈曲係合部と、前記屈曲係合部を前記中空枠型の長辺一端側に折り曲げることにより形成される軒先側係合部と、を有する第３の固定手段をさらに備え、前記接合手段が軒先側の瓦と接合される場合、前記第３の固定手段の前記屈曲係合部は前記接合手段と係合され、前記軒先側係合部は前記瓦と係合されるので、瓦と太陽電池モジュールの間に隙間が生じないように取り合いすることができ、雨水が吹き込むのを防止することができる。